(57)【要約】【課題】余白量がばらばらの原稿束を読み取っても、余白位置と余白量が均一に揃い、かつ、記録媒体に画像欠落のない整然とした合成冊子を出力して、フィニッシング処理を容易にすることである。【解決手段】複数の原稿束から合成冊子を作成する画像処理装置において、スキャンエンジン２１１により読み取られる各ページの画像データ余白量をメインコントローラ２１３が検出し、該検出される余白量と設定される余白量とに基づき、読み取られる各ページの画像データに対して、余白位置と余白量とが揃い、かつ、設定される有効画像出力領域内に収まるように所定の画像処理を行う構成を特徴とする。【選択図】      図２
2004153681.tif 000002
【特許請求の範囲】
【請求項１】
複数の原稿束から合成冊子を作成する画像処理装置であって、
前記原稿束中から分離される原稿画像を順次読み取る画像読み取り手段と、
前記画像読み取り手段から出力される画像データを記録媒体に印刷するプリント手段と、
前記画像読み取り手段により読み取られる各ページの画像データ余白量を検出する検出手段と、
前記合成冊子に対する余白位置と余白量とを設定する余白設定手段と、
前記余白設定手段により設定される余白量と前記検出手段により検出される余白量とに基づき、前記画像読み取り手段により読み取られる各ページの画像データに対して、余白位置と余白量とが揃い、かつ、前記プリント手段により決定される有効画像出力領域内に収まるように所定の画像処理を行う画像処理手段と、を有することを特徴とする画像処理装置。
【発明の詳細な説明】
【０００１】
【発明の属する技術分野】
本発明は、複数の原稿束から合成冊子を作成処理可能な画像処理装置の制御に関するものである。
【０００２】
【従来の技術】
従来、複合機などの機能が高度になるにつれ、複数のドキュメントを合成し１つのまとまったドキュメント冊子を作成して頒布するような処理が増えてきた。また、従来のステープルに加え、今後より高度な能力を持つフィニッシング装置が普及しつつある。
【０００３】
【発明が解決しようとする課題】
こように合成しようとする複数のドキュメントは、ホストコンピュータ等の様々なアプリケーションにおける様々な設定により作成される。
【０００４】
従って、印刷結果の用紙左端および右端の余白領域、あるいは上下端の余白領域は各ドキュメント毎に異なった長さを持っている。また、その一方で、それら複数のドキュメントを束ねて単一の冊子を構成する際には、フィニッシング処理の都合上、前記余白領域は全ての対象ドキュメント間で揃っていた方が都合がよい。
【０００５】
現状の複合機でも綴じ代量の指定が可能なものは存在するが、それらはイメージを一律設定量ぶんだけシフトするものであり、もともと持つ余白にさらに綴じ代量分の余白が加算されることになる。
【０００６】
確かにこのようにすれば少なくとも綴じ代領域は確保されるが、最終的に構成した冊子のページの余白はもともとの余白量の違いから統一感がないものとなり、見栄えは良いものとは言い難い。
【０００７】
また、例え全ての合成対象ドキュメントの余白領域が同一であったとしても、綴じ代量を確保するために画像をシフトするとシフト方向の反対側の画像が用紙端からはみ出る可能性もあり、その改善が切望されている。
【０００８】
本発明は、上記の問題点を解決するためになされたもので、本発明の目的は、複数の原稿束から合成冊子を作成する画像処理装置において、読み取られる各ページの画像データ余白量を検出し、該検出される余白量と設定される余白量とに基づき、読み取られる各ページの画像データに対して、余白位置と余白量とが揃い、かつ、設定される有効画像出力領域内に収まるように所定の画像処理を行うことにより、余白量がばらばらの原稿束を読み取っても、余白位置と余白量が均一に揃い、かつ、記録媒体に画像欠落のない整然とした合成冊子を出力して、フィニッシング処理を容易にする画像処理環境を自在に構築することができる画像処理装置を提供することである。
【０００９】
【課題を解決するための手段】
本発明は、複数の原稿束から合成冊子を作成する画像処理装置であって、前記原稿束中から分離される原稿画像を順次読み取る画像読み取り手段（例えば図２に示すスキャンエンジン２１１に相当）と、前記画像読み取り手段から出力される画像データを記録媒体に印刷するプリント手段（例えば図２に示すプリントエンジン２０９に相当）と、前記画像読み取り手段により読み取られる各ページの画像データ余白量を検出する検出手段（例えば図８に示すステップＳ８０６）と、前記合成冊子に対する余白位置と余白量とを設定する余白設定手段（例えば図８に示すステップＳ８０４）と、前記余白設定手段により設定される余白量と前記検出手段により検出される余白量とに基づき、前記画像読み取り手段により読み取られる各ページの画像データに対して、余白位置と余白量とが揃い、かつ、前記プリント手段により決定される有効画像出力領域内に収まるように所定の画像処理を行う画像処理手段（例えば図８に示すステップＳ８０７〜Ｓ８１１）とを有することを特徴とする。
【００１０】
【発明の実施の形態】
図１は、本発明を適用可能な画像処理装置の一例を示す外観図であり、給紙部，スキャナ部，プリンタ部，フィニッシング処理可能なソータ部から構成されている。
【００１１】
図２は、本発明の一実施形態を示す画像処理装置の制御構成を説明するブロック図である。なお、本実施形態に示す機器の構成では、主なモジュールはデータやコントロール信号の送受信を媒介するシステムバス２０１によって互いに接続されている。これらの構成は実施形態の説明に用いた一例であり、他の構成を備える画像処理装置であっても適用可能である。
【００１２】
図２において、操作部２０２は、機器が通常備える単数あるいは複数のキーと表示装置からなる部分であり、ユーザの機器に対する操作の入出力を行う部分である。
【００１３】
一次記憶装置２０３、二次記憶装置２０４は、それぞれシステムが印刷処理に使用したりシステムが使用するデータを一時的あるいは長期的に蓄積したりするために用いる半導体記憶装置、磁気記録装置等の装置である。
【００１４】
ネットワークアダプタ２０５は、ネットワークによって接続された外部の機器と情報の送受信を行う装置であり、プロトコル解析部２０６はネットワークアダプタ２０５が受信したデータをサポートするプロトコルに応じて処理し、機器内で処理可能な形式に変換するためのものである。
【００１５】
ただし、ネットワークアダプタ２０５及びプロトコル解析部２０６の働きは本発明の本質ではないので詳細は説明は省略する。
【００１６】
ＰＤＬ解釈部２０７は、印刷対象データ（ＰＤＬデータ）をイメージデータに変換する働きをし、ここで変換されたイメージデータはプリンタエンジンコントローラ２０８を介してプリントエンジン２０９に送られることによって物理的な印刷処理が行われる。これらの詳細な構成に関する説明も上記と同様の理由によって省略する。
【００１７】
スキャンエンジン２１１とスキャンエンジンコントローラ２１０は、紙原稿を光学的にスキャンし電子情報に変換するための装置である。これらの詳細な構成に関する説明も上記と同様の理由によって省略する。
【００１８】
課金管理部２１２は、ユーザの機器に対する利用状況や印刷処理等に要した消耗品等の量に応じ、正しく課金を行うための管理を担当するモジュールである。
【００１９】
余白検出部２１４は、印刷データの画像領域中の上下左右の余白領域を検出するためのものである。余白領域の検出方法としてはさまざまな方法が考えられるが、その方法は本発明の本質ではないので説明は省略する。ただし、いかなる手段が取られたとしても、各請求項に記載の構成を満たすかぎり本発明は有効であることは言うまでもない。
【００２０】
メインコントローラ２１３は、以上説明した各モジュールの働き全体の制御を司り、本発明の機能を実現するためのステップを実行するためのものであり、二次記憶装置２０４等に記憶される制御プログラムをワークメモリ上にロードして各種の制御を行う。
【００２１】
図３は、図２に示した操作部２０２における余白設定画面を説明する図である。なお、操作部２０２は、タッチパネル形式の操作画面をユーザが指示することが可能に構成されており、該操作画面上にユーザインタフェースとして余白設定画面が表示された状態に対応する。
【００２２】
図３において、余白は用紙の上下左右辺の４通り中のいずれかに対し設定することが可能で、その辺に対する余白量をｍｍ単位で指定できる。ここで余白が設定された辺と垂直方向にイメージがシフトされる。なお、単位系は、インチまたはドット表示等に切り替え可能に構成してもよい。また、ここに示した設定画面は本発明の一実施形態であり、請求項に記載の構成が満たされる限り他の設定方法を用いたとしても本発明が適用されるのは言うまでもない。
【００２３】
図４は、本発明に係る画像処理装置における第１の余白領域作成方法を説明する図である。なお、余白の設定値は図３で示した設定例を適用しながら説明する。また、これ以後示す例においては、印刷可能領域は用紙の縁から全ての辺について５ｍｍ以内の領域とする。
【００２４】
図４において、あるドキュメントデータ内に図に示すような２ページ分のデータが含まれるとする。図４の（ａ）に示す１ページ目の画像データでは用紙の左端から画像領域まで３０ｍｍの余白が存在する。一方で、図４の（ｂ）に示す２ページ目には３５ｍｍの余白が左端に存在する。
【００２５】
図５は、本発明に係る画像処理装置における第１の余白領域調整後の画像出力状態を説明する図であり、例えば図４で示した画像データを図３に示した操作画面によるユーザ設定に基づいて画像処理した印刷結果を示すためのものである。
【００２６】
図５において、余白設定位置である左端の用紙辺を基準とし、それに対し垂直方向に画像領域がシフトされ、その結果１ページ目と２ページ目の左端の余白領域はもとの画像データの余白量にかかわらず共に図３の設定通りに２０ｍｍとなっていることが分かる。また、図３に示す設定に基づいて画像領域をシフトした結果、シフト方向が余白辺側であるため、画像領域の右側が用紙サイズを超えることはないので、画像領域の縮小処理は行われない。
【００２７】
図６は、本発明に係る画像処理装置における第２の余白領域作成方法を説明する図であり、図３に示した設定値に基づいてシフトした結果、画像領域の縮小処理が発生する場合の例に対応する。
【００２８】
図６において、例えば元の画像データとして画像データＤ１１−１が存在したとする。画像データの左端部分の余白は５ｍｍしか存在しない。この画像データＤ１１−１を、図３に示した設定値に基づき、左端辺を基準として２０ｍｍの左端の余白を確保するために画像領域を右方向に１０ｍｍ分シフトする必要がある。
【００２９】
ところが、この画像領域を右方向に１０ｍｍシフトすると画像領域の右端は用紙サイズを５ｍｍオーバし印刷可能領域内に画像領域が納まらなくなるため、縮小処理を行い画像領域を印刷可能領域内に納まるよう画像データを処理して図７に示す画像データＤ−１２を生成する制御が必要となる。
【００３０】
図７は、本発明に係る画像処理装置における第２の余白領域調整後の画像出力状態を説明する図であり、余白を２０ｍｍとって画像データＤ１１−１を画像データＤ−１２として処理した後、出力する例である。
【００３１】
図７は、図６に示す画像データを図３の設定情報に基づいて余白処理を行った結果を示すものである。画像領域左端の余白量が、図３に示した設定値となるよう画像領域を右方向（余白辺からその逆辺方向）にシフトした後、画像領域右端の余白量が印刷可能領域内に納まるよう画像領域を縮小している。
【００３２】
なお、本実施形態において、画像領域の縮小処理を行う際には画像領域の左上端を原点として縮小処理を行い有効な領域内におさめる処理を行っているが、縮小処理の基点をどこにとるかは本発明にとっては本質ではない。仮に他の基準点をもとに画像領域の縮小処理をおこなった場合でも請求項に記載の項目を満たす限り本発明は適用可能であることは言うまでもない。
【００３３】
図８は、本発明に係る画像処理装置における画像データ出力制御手順の一例を示すフローチャートであり、図２に示したメインコントローラ２１３において行われる各種の制御手順のうち、本発明に係る余白調整画像出力制御の動作手順に対応する。なお、Ｓ８０１〜Ｓ８１１は各ステップを示す。
【００３４】
まず、ユーザからの処理要求を受け付ける（ステップＳ８０１）。要求があったら、ステップＳ８０２に進み、要求内容が余白制御かどうかを判別し、余白制御以外の要求であった場合にはその他の処理を実行し（ステップＳ８０３）、再び処理要求待ち状態に戻る（ステップＳ８０１）。
【００３５】
一方、ステップＳ８０２において、ユーザからの要求が余白制御であると判明した場合には、ステップＳ８０４に進み、操作部２０２に図３に示す設定画面（ＵＩ）を出力しユーザに余白位置と余白量の設定を促す。
【００３６】
そして、ステップＳ８０５で、ユーザの設定が完了しＯＫボタンＢ１が押されているかを判別し、ＯＫボタンＢ１が押されていたら、ステップＳ８０６に進む。ＯＫボタンＢ１ではなく、キャンセルボタンＢ２が押されたことを確認した場合には、何も処理をせずに再び処理要求待ち（ステップＳ８０１）に戻る。
【００３７】
そして、ステップＳ８０６では、ステップＳ８０４にてユーザから入力された設定内容に基づき一時記憶装置２０３もしくは二次記憶装置２０４内部に格納されている画像データのあるページについて設定された余白対象辺における余白量を余白検出部２１４によって検出する。
【００３８】
なお、余白検出部２１４が余白を画像データをもとに検出する方法はさまざまなものが存在しうるが、本発明においてはそれらのどれを用いてもかまわない。
【００３９】
従って、いかなる方法を採用した場合でも請求項に記載の構成が満たされる限り本発明は有効であることは言うまでもない。
【００４０】
このようにして、画像データ中の余白量の検出が完了したら、ステップＳ８０４で、入力された余白量分の余白を余白対処右辺から結果画像が持つように画像領域を画像処理によりシフトし（ステップＳ８０７）、その結果出来る画像データを再び同じ場所に格納する。このときシフトする量は、ステップＳ８０５で検出した実際に画像データが持つ余白量とユーザの設定した余白量との差分となる。
【００４１】
そして、ステップＳ８０８で、画像領域をシフトした結果、設定した余白位置と反対側の辺の画像領域が印刷可能領域をオーバしたかどうかを判別して、判別の結果、画像領域が印刷可能領域をオーバしていた場合には、ステップＳ８０９で、縮小処理を行うために縮小率を計算する。なお、縮小率はシフト後の画像領域に対し印刷可能領域に納まるように計算する。
【００４２】
そして、ステップＳ８１０で、計算された縮小率（縮小倍率）に基づいて縮小処理を実行し、同じ場所に格納した後、ステップＳ８１１に進む。
【００４３】
なお、ステップＳ８０８において、画像領域が印刷可能領域内に納まっている場合には縮小処理は行わずに、ステップＳ８１１に進む。
【００４４】
そして、ステップＳ８１１において、印刷データ内の全てのページについて今まで説明した処理が完了しているかどうかを判別して、まだ未処理のページが存在する場合には、ステップＳ８０６に戻り残りのページに対して処理を行う。
【００４５】
一方、ステップＳ８１１で、全てのページについて処理が完了した場合には余白処理は終了し、処理要求待ち（ステップＳ８０１）に戻る。
【００４６】
これにより、複数の独立したドキュメントを合成して冊子を構成する際の余白量を効果的に制御することにより全てのドキュメントで余白を同一にし綴じ代を確保すると同時に画像が確実に用紙内に収まりフィニッシング処理を容易にする環境を提供することが可能となった。
【００４７】
〔他の実施形態〕
なお、操作部２０２により設定される余白量により前記画像データが有効画像出力領域内に収まらないと判断した場合に、その旨を操作部２０２上に表示し、さらに、その際、画像データを縮小して出力するか、画像データをそのまま出力するかをユーザに選択させ、縮小出力が選択された場合に、画像データを縮小する画像処理を実行し、そのまま出力が選択された場合に、画像データを余白位置辺を基準として画像出力域をイメージシフトしないように制御してもよい。
【００４８】
なお、上記実施形態では、片面に画像を出力する例について説明したが、両面印刷処理を行う場合、あるいは、１枚の記録媒体に２枚の画像をレイアウトして出力する場合等にも本発明を適用することができる。
【００４９】
さらに、上記実施形態では、スキャンエンジン２１１より原稿束を読み込んで設定される余白量で均一となる合成冊子を処理する場合について説明したが、例えばネットワークアダプタ２０５を介して図示しないホストコンピュータより入力されるプリントジョブを複数二次記憶装置２０４に記憶させ、それぞれのジョブの指定頁を合成して合成プリントを行う場合に、図８に示したステップＳ８０４で操作部２０２から入力される合成冊子用の余白量で均一となる合成プリント処理を得る場合にも本発明を適用することができる。
【００５０】
さらに、特定の表紙を付加する機能を有する場合には、上記処理に表紙あるいは特定頁に読み込まれた画像データあるいは入力されたプリントデータを挿入する際に上記余白処理を行って、合成冊子用の余白量で均一となる合成プリント処理を得る場合にも本発明を適用することができる。
【００５１】
また、上記実施形態では、操作部２０２より余白量をユーザが設定する場合について説明したが、スキャナエンジン２１１から読み取られる原稿束中の余白量の最大値あるいは最小値を検出して、最大余白量をユーザが設定すべき余白量として上記余白処理を行うように制御したり、これとは逆に、最小余白量をユーザが設定すべき余白量として上記余白処理を行うように制御したりするように構成してもよい。
【００５２】
さらに、スキャナエンジン２１１から読み取られる原稿束中の最初の頁の余白量あるいは、最終頁の余白量、あるいは指定された頁の余白量をユーザが設定すべき余白量として上記余白処理を行うように制御したりするように構成してもよい。なお、上記スキャナエンジン２１１から読み込まれる原稿中の余白量に応じて自動的余白量を設定する処理を、ホストコンピュータから入力されるプリントジョブの処理に適用することも本発明の適用範囲である。
【００５３】
以下、図９に示すメモリマップを参照して本発明に係る画像処理装置で読み出し可能なデータ処理プログラムの構成について説明する。
【００５４】
図９は、本発明に係る画像処理装置で読み出し可能な各種データ処理プログラムを格納する記憶媒体のメモリマップを説明する図である。
【００５５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００５６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００５７】
本実施形態における図８に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００５８】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００５９】
この場合、記憶媒体から読み出されたプログラムコード自体が本発明の新規な機能を実現することになり、そのプログラムコードを記憶した記憶媒体は本発明を構成することになる。
【００６０】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００６１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００６２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６３】
本発明は上記実施形態に限定されるものではなく、本発明の趣旨に基づき種々の変形（各実施形態の有機的な組合せを含む）が可能であり、それらを本発明の範囲から排除するものではない。
【００６４】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１０について説明する。
【００６５】
〔実施態様１〕
複数の原稿束から合成冊子を作成する画像処理装置であって、前記原稿束中から分離される原稿画像を順次読み取る画像読み取り手段（例えば図２に示すスキャンエンジン２１１に相当）と、前記画像読み取り手段から出力される画像データを記録媒体に印刷するプリント手段（例えば図２に示すプリントエンジン２０９に相当）と、前記画像読み取り手段により読み取られる各ページの画像データ余白量を検出する検出手段（例えば図８に示すステップＳ８０６）と、前記合成冊子に対する余白位置と余白量とを設定する余白設定手段（例えば図８に示すステップＳ８０４）と、前記余白設定手段により設定される余白量と前記検出手段により検出される余白量とに基づき、前記画像読み取り手段により読み取られる各ページの画像データに対して、余白位置と余白量とが揃い、かつ、前記プリント手段により決定される有効画像出力領域内に収まるように所定の画像処理を行う画像処理手段（例えば図８に示すステップＳ８０７〜Ｓ８１１）とを有することを特徴とする。
【００６６】
〔実施態様２〕
前記余白設定手段により設定される余白量により前記画像データが有効画像出力領域内に収まるかどうかを判断する判断手段を有し、前記画像処理手段は、前記余白設定手段により設定される余白量により前記画像データが有効画像出力領域内に収まらないと判断した場合に、前記画像データを縮小する画像処理（例えば図８に示すステップＳ８１０）を実行し、前記余白設定手段により設定される余白量により前記画像データが有効画像出力領域内に収まると判断した場合に、前記画像データを余白位置辺を基準として画像出力域をイメージシフトする画像処理（例えば図８に示すステップＳ８０７）を実行することを特徴とする実施態様１記載の画像処理装置。
【００６７】
〔実施態様３〕
前記余白設定手段により設定される余白量により前記画像データが有効画像出力領域内に収まらないと判断した場合に、その旨を表示する表示手段（例えば図２に示す操作部２０２に相当）と、前記表示手段に対する表示時に、前記画像データを縮小して出力するか、前記画像データをそのまま出力するかを選択する選択手段とを有し、前記画像処理手段は、前記選択手段により縮小出力が選択された場合に、前記画像データを縮小する画像処理を実行し、前記選択手段によりそのまま出力が選択された場合に、前記画像データを余白位置辺を基準として画像出力域をイメージシフトしないことを特徴とする実施態様１記載の画像処理装置。
【００６８】
〔実施態様４〕
前記画像読み取り手段により読み取られる各ページの画像データを記憶する記憶手段（例えば図２に示す二次記憶装置２０４に相当）を有し、前記画像処理手段は、前記余白設定手段により設定される余白量と前記検出手段により検出される余白量とに基づき、前記記憶手段により読み出される各ページの画像データに対して、余白位置と余白量とが揃い、かつ、前記プリント手段により決定される有効画像出力領域内に収まるように所定の画像処理を行うことを特徴とする実施態様１記載の画像処理装置。
【００６９】
〔実施態様５〕
前記原稿束中から分離される原稿画像を順次読み取る画像読み取り手段と、前記画像読み取り手段から出力される画像データを記録媒体に印刷するプリント手段と、前記画像読み取り手段により読み取られる各ページの画像データを記憶する記憶手段とを備え、複数の原稿束から合成冊子を作成する画像処理装置における画像処理方法であって、前記画像読み取り手段により読み取られる各ページの画像データ余白量を検出する検出ステップ（例えば図８に示すステップＳ８０６）と、前記合成冊子に対する余白位置と余白量とを設定する余白設定ステップ（例えば図８に示すステップＳ８０４）と、前記余白設定ステップにより設定される余白量と前記検出手段により検出される余白量とに基づき、前記画像読み取り手段により読み取られる各ページの画像データに対して、余白位置と余白量とが揃い、かつ、前記プリント手段により決定される有効画像出力領域内に収まるように所定の画像処理を行う画像処理ステップ（例えば図８に示すステップＳ８０７〜Ｓ８１１）とを有することを特徴とする画像処理装置における画像処理方法。
【００７０】
〔実施態様６〕
前記余白設定ステップにより設定される余白量により前記画像データが有効画像出力領域内に収まるかどうかを判断する判断ステップ（例えば図８に示すステップＳ８０８）を有し、前記画像処理ステップは、前記余白設定ステップにより設定される余白量により前記画像データが有効画像出力領域内に収まらないと判断した場合に、前記画像データを縮小する画像処理（例えば図８に示すステップＳ８１０）を実行し、前記余白設定手段により設定される余白量により前記画像データが有効画像出力領域内に収まると判断した場合に、前記画像データを余白位置辺を基準として画像出力域をイメージシフトする画像処理（例えば図８に示すステップＳ８０７）を実行することを特徴とする実施態様５記載の画像処理装置における画像処理方法。
【００７１】
〔実施態様７〕
前記余白設定手段により設定される余白量により前記画像データが有効画像出力領域内に収まらないと判断した場合に、その旨を表示手段に表示する表示ステップ（図示しない）と、前記表示手段に対する表示時に、前記画像データを縮小して出力するか、前記画像データをそのまま出力するかを選択する選択ステップとを有し、前記画像処理ステップは、前記選択ステップにより縮小出力が選択された場合に、前記画像データを縮小する画像処理を実行し、前記選択手段によりそのまま出力が選択された場合に、前記画像データを余白位置辺を基準として画像出力域をイメージシフトしないことを特徴とする実施態様５記載の画像処理装置における画像処理方法。
【００７２】
〔実施態様８〕
前記画像処理ステップは、前記余白設定ステップにより設定される余白量と前記検出手段により検出される余白量とに基づき、前記記憶手段により読み出される各ページの画像データに対して、余白位置と余白量とが揃い、かつ、前記プリント手段により決定される有効画像出力領域内に収まるように所定の画像処理を行うことを特徴とする実施態様５記載の画像処理装置における画像処理方法。
【００７３】
〔実施態様９〕
第５〜第８の実施態様のいずれかに記載の画像処理方法を実現するプログラムを記憶媒体に記憶したことを特徴とする。
【００７４】
〔実施態様１０〕
第５〜第８の実施態様のいずれかに記載の画像処理方法を実現するプログラムであることを特徴とする。
【００７５】
【発明の効果】
以上説明したように、本発明によれば、複数の原稿束から合成冊子を作成する画像処理装置において、読み取られる各ページの画像データ余白量を検出し、該検出される余白量と設定される余白量とに基づき、読み取られる各ページの画像データに対して、余白位置と余白量とが揃い、かつ、設定される有効画像出力領域内に収まるように所定の画像処理を行うことにより、余白量がばらばらの原稿束を読み取っても、余白位置と余白量が均一に揃い、かつ、記録媒体に画像欠落のない整然とした合成冊子を出力して、フィニッシング処理を容易にする画像処理環境を自在に構築することができるという効果を奏する。
【図面の簡単な説明】
【図１】本発明を適用可能な画像処理装置の一例を示す外観図である。
【図２】本発明の一実施形態を示す画像処理装置の制御構成を説明するブロック図である。
【図３】図２に示した操作部における余白設定画面を説明する図である。
【図４】本発明に係る画像処理装置における第１の余白領域作成方法を説明する図である。
【図５】本発明に係る画像処理装置における第１の余白領域調整後の画像出力状態を説明する図である。
【図６】本発明に係る画像処理装置における第２の余白領域作成方法を説明する図である。
【図７】本発明に係る画像処理装置における第２の余白領域調整後の画像出力状態を説明する図である。
【図８】本発明に係る画像処理装置における画像データ出力制御手順の一例を示すフローチャートである。
【図９】本発明に係る画像処理装置で読み出し可能な各種データ処理プログラムを格納する記憶媒体のメモリマップを説明する図である。
【符号の説明】
２０１  システムバス
２０２  操作部
２０３  一次記憶装置
２０４  二次記憶装置
２１３  メインコントローラ
【図１】
2004153681.tif 000003
【図２】
2004153681.tif 000004
【図３】
2004153681.tif 000005
【図４】
2004153681.tif 000006
【図５】
2004153681.tif 000007
【図６】
2004153681.tif 000008
【図７】
2004153681.tif 000009
【図８】
2004153681.tif 000010
【図９】
2004153681.tif 000011